(57)【要約】【課題】  複数枚積重ねたシート状物を保持した内ケースを収納したケース本体に、押圧部材を取着した蓋体を摺動自在に取着し、蓋体を摺動させることで、押圧部材が内ケース内のシート状物の最上面の一枚に当接し、シート状物を一枚ずつ確実に送り出せるようにしたシート状物収納容器を提供すること。【解決手段】  シート状物を積重ねて収納した内ケースを収納したケース本体と、ケース本体に摺動自在に取着した蓋体と、蓋体に取着した押圧部材と、シート状物の取出口を備えたシート状物収納容器であって、ケース本体から蓋体を摺動させることにより、蓋体に取着した押圧部材がシート状物の最上面のシートに接合し、摺動させ、最上面のシートを取出口より突出させることを特徴とする。   【選択図】    図１
2006069580.tif 000002
【特許請求の範囲】
【請求項１】
シート状物を積重ねて収納した内ケースを収納したケース本体と、ケース本体に摺動自在に取着した蓋体と、蓋体に取着した押圧部材と、シート状物の取出口を備えたシート状物収納容器であって、
ケース本体から蓋体を摺動させることにより、蓋体に取着した押圧部材がシート状物の最上面のシートに接合し、摺動させ、最上面のシートを取出口より突出させることを特徴とするシート状物収納容器。   
【請求項２】
内ケースの側壁内面に設けた保持部により、シート状物の側面を挟み込み、保持させるようにしたことを特徴とする請求項１記載のシート状物収納容器。   
【請求項３】
押圧部材を、ゴムまたはエラストマー等の軟材質で形成し、シート状物の最上面のシートの表面に変形して接合するようにしたことを特徴とする請求項１、２記載のシート状物収納容器。
【発明の詳細な説明】
【技術分野】
【０００１】
本発明は、シート状物収納容器に関するものである。
【背景技術】
【０００２】
複数枚のシート状物を積重ねて収納し、シート物状を一枚ずつ取出すようにしたシート状物収納容器は、従来より知られている（特許文献１参照）。
【特許文献１】実公昭６２−７１９２号公報
【発明の開示】
【発明が解決しようとする課題】
【０００３】
上記特許文献１記載の容器は、シート状物として、紙石鹸を収納したもので、上蓋体（４）の中央部に窓孔（８）を穿孔し、該窓孔（８）に弾性湾曲部（９ａ）と指押部（９ｃ）を具え、弾性変形自在な肉薄平板状のスライド板（９）を取付け、指押部（９ｃ）を押さえて前方に動かすことで、弾性湾曲部（９ａ）を上方に湾曲させ、指押部（９ｃ）の下面に設けた摩擦材（１０）で、最上面にある紙石鹸を抜出孔（３）から押出すようにしている。
【０００４】
しかしながら、上記特許文献１記載の容器では、指先で指押部を押圧して取出し操作をするので、最上面の紙石鹸等のシート状物に、常に一定の押圧力がかかるように操作するためには注意力が必要であり、押圧力が大きすぎると複数枚のシート状物を押出すことがあり、押圧力が弱いとシート状物を正常に押出せないという問題があった。
【０００５】
本発明は、上記問題を解決することを課題として、複数枚積重ねたシート状物を保持した内ケースを収納したケース本体に、押圧部材を取着した蓋体を摺動自在に取着し、蓋体を摺動させることで、押圧部材が内ケース内のシート状物の最上面の一枚に当接し、シート状物を一枚ずつ確実に送り出せるようにしたシート状物収納容器を提供することを目的とする。
【課題を解決するための手段】
【０００６】
本発明は、上記の課題を解決するため、シート状物収納容器として、シート状物を積重ねて収納した内ケースを収納したケース本体と、ケース本体に摺動自在に取着した蓋体と、蓋体に取着した押圧部材と、シート状物の取出口を備えたシート状物収納容器であって、ケース本体から蓋体を摺動させることにより、蓋体に取着した押圧部材がシート状物の最上面のシートに接合し、摺動させ、最上面のシートを取出口より突出させることを特徴とする構成を採用する。   
【０００７】
内ケースの実施例として、内ケースの側壁内面に設けた保持部により、シート状物の側面を挟み込み、保持させるようにしたことを特徴とする構成を採用し、また、押圧部材の実施例として、押圧部材を、ゴムまたはエラストマー等の軟材質で形成し、シート状物の最上面のシートの表面に変形して接合するようにしたことを特徴とする構成を採用する。
【発明の効果】
【０００８】
ケース本体に取着した蓋体を摺動させることで、蓋体に取着した押圧部材が、ケース本体内に保持して収納された複数枚積重ねたシート状物の最上面のシートに接合し、取出口からシート状物を一枚ずつ取出し、最後まで確実に使用することができる。
【発明を実施するための最良の形態】
【０００９】
次に、本発明のシート状物収納容器について、図面を参照して説明する。
図１において、Ａは、ケース本体、Ｂは、ケース本体Ａ内に収納される内ケース、Ｃは、ケース本体Ａに摺動自在に取着される蓋体、Ｄは、蓋体Ｃの内方に取着される押圧部材である。
Ｅは、内ケースＢに収納され、ある程度の保形性を持つ薄いシートを積重ねたシート状物である。
【００１０】
ケース本体Ａは、図２に示すように、一端部を上方に傾斜する傾斜前壁１とした底壁２と、底壁２に立設された後壁３と側壁４ａ、４ｂとから形成されている。
側壁４ａ、４ｂの外側面下端には、蓋体Ｃを取着するためのガイド溝５が設けられており、ガイド溝５には、所定の位置にストッパー６が設けられている。
【００１１】
傾斜前壁１の上端部は、シート状物収納容器使用時にシートを突出する取出口７となっている。
【００１２】
内ケースＢは、図３に示すように、頂壁１０と、頂壁１０に垂設される後壁１１と側壁１２ａ、１２ｂとからなり、側壁１２ａ、１２ｂの下端にはシ−ト状物Ｅを内ケースＢ内に収納するために積載板１３が連設され、内ケースＢの前側は開口１４となっている。
頂壁１０の開口１４側から後壁１１側に向かって、中央に押圧部材Ｄの可動位置を決めるガイド部１５が切欠かれている。
【００１３】
内ケースＢの側壁１２ａ、１２ｂの内側面には、保持部として、ゴムまたはエラストマー等の軟材質で形成された保持部材１６が、インサート成形、または接着によって取着されている。
【００１４】
蓋体Ｃは、図４に示すように、頂壁２０と、頂壁２０に垂設される後壁２１と側壁２２ａ、２２ｂとからなり、頂壁２０の裏面中央の前側には、所定の位置に押圧部材Ｄを取着する嵌合突部２３が設けられている。
【００１５】
蓋体Ｃの後壁２１の下端には、切欠部２４が設けられ、側壁２２ａ、２２ｂの内側面下端には、ケース本体Ａの側壁４ａ、４ｂに設けられたガイド溝５に係合するガイド突条２５と、開蓋時にケース本体Ａのガイド溝５に設けられたストッパー６と当接し、開蓋範囲を決める突部２６が設けられている。
【００１６】
押圧部材Ｄは、図５に示すように、ゴム、またはエラストマー等の軟材質で形成された平板３０であり、平板３０の両端部には、嵌合孔部３１が穿設されている。
平板３０を湾曲させて湾曲部３０ａを形成し、両端部を当接させた時に両端部の嵌合孔部３１の孔が連通し、該孔に蓋体Ｃ頂壁２０の裏面に設けられた嵌合突部２３が嵌入して、押圧部材Ｄを蓋体Ｃに固着させるようになっている。  
【００１７】
シート状物Ｅは、図１に示すように、内ケースＢに収納された際、シート状物Ｅの両側は、内ケースＢの側壁１２ａ、１２ｂ内側面に設けられた両方の保持部材１６により、シートの移動を妨げる抵抗が働くように挟まれて、内ケースＢ内で保持されるように形成されている。
【００１８】
次に、本実施形態のシート状物収納容器の組立てと、作用効果について説明する。
容器の組立てにあたっては、まず、シート状物Ｅを、内ケースＢの開口１４より内ケースＢ内に収納する。
その際、シート状物Ｅの両側下端は、内ケースＢの側壁１２ａ、１２ｂに連設された両方の積載板１３上面に載置され、シート状物Ｅの両側は、内ケースＢの側壁１２ａ、１２ｂ内側面に設けられた両方の保持部材１６により保持される。
【００１９】
押圧部材Ｄの平板３０を湾曲させて両端部を当接させ、連通した両端部の嵌合孔部３１の孔に、蓋体Ｃの頂壁２０の裏面に設けられた嵌合突部２３を嵌入させ、押圧部材Ｄを蓋体Ｃに固着させる。
【００２０】
最後に、ケース本体Ａ内にシート状物Ｅを収納した内ケースＢを載置し、上方より、押圧部材Ｄを取着した蓋体Ｃの側壁２２ａ、２２ｂに設けたガイド突条２５と突部２６を、ケース本体Ａのガイド溝５に係合させて、蓋体Ｃをケース本体Ａに摺動自在に取着する。
【００２１】
使用にあったっては、まず、図１に示すような閉蓋状態のシート状物収納容器を、図６（ａ）に示すように、ケース本体Ａから蓋体Ｃを後壁方向に摺動させていき、ケース本体Ａの側壁４ａ、４ｂに設けたガイド溝５のストッパー６に、蓋体Ｃの側壁２２ａ、２２ｂに設けた突部２６を当接させることにより完全な開蓋状態となる。
【００２２】
蓋体Ｃを開蓋状態にするように摺動させていくと、蓋体Ｃに取着された押圧部材Ｄの湾曲部３０ａの下部は、ケース本体Ａ内のシート状物Ｅの最上面のシートｅに当接し、さらに蓋体Ｃを摺動させていくと、湾曲部３０ａの下部は変形し、接合部３０ｂを形成しながら、内ケースＢの頂壁１０に設けられたガイド部１５内で、最上面のシートｅの面上に摺動する。
【００２３】
次に、蓋体Ｃを閉蓋状態に戻していくと、シート状物Ｅの最上面のシートｅは、押圧部材Ｄの接合部３０ｂに接合しているため、上面の接合部３０ｂの引張り力が側面の内ケースＢの側壁１２ａ、１２ｂ内壁に設けた保持部材１６の抵抗より大きくなり、最上面のシートｅだけが移動し、内ケースＢの開口１４より突出していく。
【００２４】
さらに、蓋体Ｃを閉蓋状態に戻していくと、突出したシートｅの先端がケース本体Ａの傾斜前壁１に当接して上方に向かって摺動していき、図６（ｂ）に示すように、閉蓋状態の時には、シートｅは、ケース本体Ａに設けられた取出口７より突出される。
シートの使用にあったっては、シート状物収納容器の取出口７より突出したシートｅを摘み、引き出して使用する。
【００２５】
再度、シートを取出すときには、蓋体Ｃを開蓋状態にし、閉蓋状態に戻すことによりシート状物Ｅの最上面のシートｅをシート状物収納容器の取出口７より突出させることができる。
【００２６】
また、押圧部材Ｄが、ゴム、またはエラストマー等の軟材質で形成されているので、シート状物Ｅの枚数が少なくなっても、それに合わせて押圧部材Ｄの湾曲部３０ａの接合部３０ｂの形状が変形し、最上面のシートｅに接合することができ、シート状物Ｅを最後までシート状物収納容器の取出口７より突出させることができる。
【００２７】
シート状物Ｅをすべて使い終わったときには、ケース本体Ａのガイド溝５と、蓋体Ｃのガイド突条２５と突部２６との係合を外すことにより蓋体Ｃをケース本体Ａから外し、ケース本体Ａの内部に収納された内ケースＢを取り出す。
内ケースＢの内部に、新しいシート状物Ｅを詰め替えて組立て直すことで、シート状物Ｅを再度、最後まで使用することができる。
【００２８】
上記実施形態では、内ケースＢの側壁１２ａ、１２ｂの内側面に保持部として、ゴムまたはエラストマー等の軟材質で形成した保持部材１６を取着したが、シート状物Ｅの両側を、内ケースＢの側壁１２ａ、１２ｂの内側面に設けた保持部で挟んで、シートを引張った時に抵抗を持たせるように保持できればよいので、保持部材１６に代えて、側壁１２ａ、１２ｂの内側面の数カ所に凸リブを配設し、挟み込むことで、シート状物Ｅを内ケースＢ内で保持されるようにしてもよい。
【００２９】
また、上記実施形態では、蓋体Ｃの頂壁２０の裏面中央の前側に、嵌合突部２３を介して押圧部材Ｄを設置したが、押圧部材Ｄに湾曲部３０ａを形成し、蓋体Ｃの頂壁２０裏面に固着できればよい。
例えば、押圧部材Ｄの平板３０の両端を溶着、または接着剤などで接着させて湾曲部３０ａを形成し、蓋体Ｃの頂壁２０裏面に溶着、または接着剤などで接着させて設置してもよい。
【００３０】
また、押圧部材Ｄの設置位置は、押圧部材Ｄの湾曲部３０ａが変形して形成される接合部３０ｂが、シート状物Ｅの最上面のシートｅに接合して最上面のシートｅだけを摺動させることができればよいので、蓋体Ｃの頂壁２０の裏面中央の前側に限定されない。
本発明の押圧部材の設置位置や、設置方法は、上記実施形態の位置や方法に限定されない。
【００３１】
また、押圧部材Ｄを板バネ状としてもよく、該板バネの先端部に凹凸やエラストマー、ゴム部材等の滑り止めを備えた接合部が設けられることが好ましい。
さらに、板バネ状の押圧部材Ｄを使用した場合は、形状がなじむことによる押圧部材Ｄの押圧力低下を防止するため、閉蓋状態の時にシート状物Ｅより前方に接合部が位置することが好ましい。
【産業上の利用可能性】
【００３２】
ケース本体に取着した蓋体を摺動することで、ケース本体に収納されたシート状物の積重ね物を取出口から一枚ずつ取出し、最後まで確実に使用することができ、シート状物の詰替えも簡単にできるようになった。
【００３３】
本発明のシート状物収納容器の構成は、各種のシート状物品の携帯用小型容器に適用することができる。
【図面の簡単な説明】
【００３４】
【図１】本願発明のシート状物収納容器の説明図で、（ａ）は一部断面上面図、（ｂ）は図（ａ）のＡ−Ａ線における一部断面立面図、（ｃ）は断面側面図である。
【図２】ケース本体の説明図で、（ａ）は上面図、（ｂ）は図（ａ）のＡ−Ａ線における一部断面立面図、（ｃ）は側面図である。
【図３】内ケースの説明図で、（ａ）は上面図、（ｂ）は図（ａ）のＡ−Ａ線における一部断面立面図、（ｃ）は側面図である。
【図４】蓋体の説明図で、（ａ）は上面図、（ｂ）は図（ａ）のＡ−Ａ線における一部断面立面図、（ｃ）は側面図である。
【図５】押圧部材の説明図で、（ａ）は上面図、（ｂ）は側面図である。
【図６】収納容器の使用時の説明図で、（ａ）は蓋体の完全な開蓋状態時の断面立面図、（ｂ）は閉蓋状態時の断面立面図である。
【符号の説明】
【００３５】
Ａ          ケース本体
Ｂ          内ケース
Ｃ          蓋体
Ｄ          押圧部材
Ｅ          シート状物
ｅ          最上面のシート
１          傾斜前壁
２          底壁
３          後壁
４ａ，ｂ    側壁
５          ガイド溝
６          ストッパー
７          取出口
１０        頂壁
１１        後壁
１２ａ，ｂ  側壁
１３        積載板
１４        開口
１５        ガイド部
１６        保持部材
２０        頂壁
２１        後壁
２２ａ，ｂ  側壁
２３        嵌合突部
２４        切欠部
２５        ガイド突条
２６        突部
３０        平板
３０ａ      湾曲部
３０ｂ      接合部
３１        嵌合孔部
【図１】
2006069580.tif 000003
【図２】
2006069580.tif 000004
【図３】
2006069580.tif 000005
【図４】
2006069580.tif 000006
【図５】
2006069580.tif 000007
【図６】
2006069580.tif 000008